(57)【要約】【課題】労働的負担や高齢者などの屋根からの転落事故を無くする。【解決手段】屋根の傾斜面上に積もった雪を下ろす屋根の雪下ろし機において、前記屋根に配設され、雪掻きボード２１を前記傾斜面に沿って移動させて前記屋根の傾斜面上に積もった雪を下ろす雪下ろし手段を具えているから、この雪下ろし機を電動で雪掻き機を操作する事によって人が直接屋根に上がらなくても雪下ろしが出来るので労働的負担や高齢者などの屋根からの転落事故を無くすることができる。【選択図】図８
2006299614.tif 000002
【特許請求の範囲】
【請求項１】
屋根の傾斜面上に積もった雪を下ろす屋根の雪下ろし機において、
前記屋根に配設され、雪掻きボードを前記傾斜面に沿って移動させて前記屋根の傾斜面上に積もった雪を下ろす雪下ろし手段
を具えたことを特徴とする屋根の雪下ろし機。
【請求項２】
前記雪下ろし手段は、
前記屋根の尾根に沿って配設された尾根レールと、
移動用ギヤモータにより回転する移動用歯車を介し前記尾根レールに沿って移動する本体と、
前記屋根の傾斜方向に沿って配設された雪掻きボード移動用レールであって、前記本体の移動とともに前記尾根レールと平行な方向に移動する雪掻きボード移動用レールと、
前記雪掻きボードを、前記雪掻きボード移動用レールに沿って移動させるとともに前記屋根の傾斜面に対し平行な姿勢と前記傾斜面に対し垂直な姿勢とに姿勢を変更させる雪掻きボード駆動手段
とを具え、
該雪掻きボード駆動手段によって、前記雪掻きボードを前記雪掻きボード移動用レールに沿って移動させ、また前記雪掻きボードの姿勢を変更させることにより前記屋根の傾斜面上に積もった雪を掻き下ろすようにしたことを特徴とする請求項（１）記載の屋根の雪下ろし機。
【請求項３】
前記雪下ろし手段は、
前記屋根の尾根に沿って配設された第一のレールと、
該第一のレールに沿って移動する親機と、
前記屋根の傾斜面にその傾斜に沿って配設された複数本の第二のレールと、
前記親機の上に配置され、該親機の上から前記第二のレールへ乗り移る、前記雪掻きボードを有する子機
とを具え、
前記雪掻きボードを有する子機が前記各第二のレールに沿って移動することにより、前記屋根の傾斜面上に積もった雪が掻き下ろされるようにしたことを特徴とする請求項（１）記載の屋根の雪下ろし機。
【発明の詳細な説明】
【技術分野】
【０００１】
この発明は、屋根の雪下ろし機に関する。
【背景技術】
【０００２】
従来、豪雪地帯での屋根の雪下ろしは、人が直接屋根に上ってスコップなどで掻き下ろすしか方法がなかった。
【発明の開示】
【発明が解決しようとする課題】
【０００３】
従来、豪雪地帯での屋根の雪下ろしは、人が直接屋根に上ってスコップなどで掻き下ろすしか方法がなかったため、屋根の雪下ろしには、労働的負担が生じ、また高齢者などが屋根から転落する事故が生じているという問題があった。
【０００４】
そこで上述した事情に鑑み、本願発明は、労働的負担や高齢者などが屋根からの転落する事故を無くする屋根の雪下ろし機を提供することを目的としている。
【課題を解決するための手段】
【０００５】
上記した課題を解決するため、本願発明の屋根の雪下ろし機は、屋根の傾斜面上に積もった雪を下ろす屋根の雪下ろし機において、前記屋根に配設され、雪掻きボードを前記傾斜面に沿って移動させて前記屋根の傾斜面上に積もった雪を下ろす雪下ろし手段を具えている。
【発明の効果】
【０００６】
本願発明の屋根の雪下ろし機は、屋根の傾斜面上に積もった雪を下ろす屋根の雪下ろし機において、前記屋根に配設され、雪掻きボードを前記傾斜面に沿って移動させて前記屋根の傾斜面上に積もった雪を下ろす雪下ろし手段を具えているから、該雪下ろし手段により雪下ろし動作が電動で行われることとなって、人が直接屋根に上ることなく雪下ろしを行うことができ、そのため、豪雪地帯などでの屋根の雪下ろしにあたって、労働的負担を無くすことができるとともに、高齢者などが屋根から転落する事故も防ぐことができる。
【発明を実施するための最良の形態】
【０００７】
屋根の傾斜面上に積もった雪を下ろす屋根の雪下ろし機（以下、単に「雪下ろし機」という。）について、以下の実施例１及び２によって説明する。
【実施例１】
【０００８】
実施例１の雪下ろし機は、例えば、図４で示すように両方向傾斜の屋根に設置される雪下ろし機として用いられる。  
なお、図４は、両方向傾斜の屋根と、該屋根に配設した実施例１の雪下ろし機のレール（尾根レール）、雪掻きボード用移動レール及び固定レールを示す概念斜視図である。
【０００９】
この雪下ろし機は、屋根に配設され、雪掻きボード２１(図５)を屋根の傾斜面に沿って移動させて前記屋根の傾斜面上に積もった雪を下ろす雪下ろし手段を具えている。
【００１０】
この雪下ろし手段は、屋根の尾根に沿って配設されたレール（尾根レール）１７と、移動用ギヤモータ５より回転する移動用歯車１３を介しレール１７に沿って移動する本体と、屋根の傾斜方向に沿って配設された雪掻きボード移動用レール１９であって、本体の移動とともにレール１７と平行な方向に移動する雪掻きボード移動用レール１９と、雪掻きボード２１を雪掻きボード移動用レール１９に沿って移動させるとともに屋根の傾斜面に対し平行な姿勢と傾斜面に対し垂直な姿勢とに姿勢を変更させる雪掻きボード駆動手段とを具え、該雪掻きボード駆動手段によって、雪掻きボード２１を雪掻きボード移動用レール１９に沿って移動させ、また雪掻きボード２１の姿勢を変更させることにより屋根の傾斜面上に積もった雪を掻き下ろすようにしている。
【００１１】
また、このうちの本体には、図１で示すように、移動用ギヤモータ５と、該移動用ギヤモータ５により回転する移動用歯車１３とが配設されている。また本体には、移動用連結歯車１４が配設されており、該移動用連結歯車１４は移動用ギヤモータ５と移動用歯車１３とに連結している。また本体には、ローラ８が回動自在に支承されている。  
なお、図１は、屋根に配設された実施例１の雪下ろし機の本体の概念正面図である。
【００１２】
また、本体は、図５に示すように、レール１７の中に据え付けられる。また、図３（ａ）で示すように、レール１７には、その底面に移動用歯車噛み込み穴１８が形成されている。この移動用歯車噛み込み穴１８は、レール１７及び尾根に沿って形成されている。  
また図３（ｂ）で示す移動用歯車１３の歯は、レール１７の移動用歯車噛み込み穴１８に係合する。
【００１３】
したがって、移動用ギヤモータ５を駆動すると、移動用連結歯車１４及び移動用歯車１３の各回転を介し本体はローラ８を介し移動をするが、その移動方向は移動用歯車１３と移動用歯車噛み込み穴１８との係合によって尾根に沿った方向となる。  
なお、図５及び後述する図６は、両方向傾斜の屋根に配設された実施例１の雪下ろし機を示す概念正面図である。また、図３（ａ）は屋根の尾根に配設されるレールを示す概念斜視図である。また、図３（ｂ）は本体の移動用歯車を示す概念斜視図である。
【００１４】
また、図５で示すように、本体の両端部には本体移動用ワイヤー２３の両端が固定されている。この本体移動用ワイヤー２３はワイヤーガイドプーリ３０、２５に支承されている。なお、ワイヤーガイドプーリ３０、２５は屋根の尾根に回動自在に支承されている。  
また、雪掻きボード移動用レール１９（以下、単に「移動用レール」という。）は、図５で示すように本体にアームを介して固定されている。  
この移動用レール１９は、図４及び図５で示すように、コの字形状のレールに形成されている。  
また、移動用レール１９は、尾根に平行な二本の支承部と、該支承部を連結する連結部とから構成されており、このうちの連結部は、屋根の傾斜面の該傾斜方向に沿って延設されている。
【００１５】
また、上記した二本の支承部は、尾根側に配設された支承部（以下、「尾根側支承部」という。）と、谷側（尾根と反対側）に配設された支承部（以下、「谷側支承部」という。）からなり、尾根側支承部と谷側支承部は互いに間隔を隔てて配設されている。
【００１６】
また、図５で示すように、この移動用レール１９の先端、すなわち谷側支承部両端には、移動用レール移動用ワイヤー２２の一端と他端が連結されている。また移動用レール移動用ワイヤー２２のうち一端側の部分はワイヤーガイドプーリ２８、２９、３０に支承されており、移動用レール移動用ワイヤー２２の他端側の部分はワイヤーガイドプーリ２７、２６、２５に支承されている。  
また、移動用レール移動用ワイヤー２２のうち、ワイヤーガイドプーリ３０とワイヤーガイドプーリ２５の間の部分が連結金具２４によって本体移動用ワイヤー２３に連結されている。  
なお、ワイヤーガイドプーリ２８、２９、２７、２６は、それぞれ屋根に回動自在に支承されている。
【００１７】
また、移動用レール１９の谷側支承部両端にはそれぞれローラ４０、４１が回動自在に支承されている。
【００１８】
また図５で示すように、ローラ４０、４１は、固定レール２０内に配置されている。この固定レール２０は尾根と平行な方向に沿って配設されている。  
なお、この固定レール２０は、固定レール取り付け金具４２（図７）によって軒下に取り付けられている。具体的には、固定レール２０は、固定レール取り付け金具４２によって雨樋の下から屋根の算木に取り付けられている。また固定レール２０は、固定レール取り付け金具４３（図７）によって屋根の傾斜面に支承されている。
【００１９】
なお、固定レール取り付け金具４３は、瓦に直接接着剤で取り付けられる。図１９は屋根の瓦に貼り付けるレール取り付け金具の概念斜視図である。
【００２０】
この雪下ろし機では、本体がレール１７に沿って移動した場合、移動用レール１９は、本体移動用ワイヤー２３、連結金具２４及び移動用レール移動用ワイヤー２２を介し本体とともに移動する。またその移動用レール１９の移動は、ローラ４０、４１によりなされる。またこの移動用レール１９の移動は、固定レール２０に沿ってなされる。すなわち移動用レール１９は、本体とともに、レール１７と平行な方向に沿って移動する。
【００２１】
また、上記した雪掻きボード駆動手段は、ワイヤー巻き取り用ギヤモータ７と、ワイヤー巻き取り用連結歯車１５と、シャフト回転用歯車６と、該シャフト回転用歯車６に固定されたシャフトと、軸受け４と、固定プーリ３と、電磁コイル1と、連結プーリ２とを具えており、これらはいずれも本体に配設されている。
【００２２】
このうち、ワイヤー巻き取り用連結歯車１５はワイヤー巻き取り用ギヤモータ７に連結されている。また、シャフト回転用歯車６はワイヤー巻き取り用連結歯車１５に連結されている。また、シャフト回転用歯車６に固定されたシャフトは、軸受け４によって支承されている。また、このシャフトには固定プーリ３が固定されている。また、連結プーリ２は、電磁コイル1に連結されている。
【００２３】
また、雪掻きボード駆動手段は、図１及び図１のＡ´−Ａ´´概念断面図である図２で示すように、本体に回動自在に支承されたスプリング付きワイヤーガイドプーリ９、１０と、ワイヤーガイドプーリ１１、１２を具えている。
【００２４】
また、雪掻きボード駆動手段は、図５で示すように、移動用レール１９の尾根側支承部に回動自在に支承されたワイヤーガイドプーリ３１、３２とワイヤーガイドプーリ３３、３４と、移動用レール１９の谷側支承部に回動自在に支承されたワイヤーガイドプーリ３５とワイヤーガイドプーリ３６と、ワイヤー３７と、ワイヤー３８とを具えている。
【００２５】
図５乃至図８で示すように、ワイヤー３７の一端と他端は、雪掻きボード２１の谷側の端（以下、「先端」という。）に接続されている。ワイヤー３７の一端は雪掻きボード２１の正面側から連結され、ワイヤー３７の他端は、雪掻きボード２１の背面側から連結されている。
【００２６】
また、ワイヤー３７は連結プーリ２に巻回されており、ワイヤー３７の一端側はスプリング付きワイヤーガイドプーリ９及びプーリ３１に支承されている。また、ワイヤー３７の他端側はスプリング付きワイヤーガイドプーリ１０及びプーリ３２、３５に支承されている。  
また、図７及び図８で示すように、ワイヤー３８の一端と他端は雪掻きボード２１の尾根側の端（以下「根本」という。）に接続されている。ワイヤー３８の一端は雪掻きボード２１の正面側から連結され、ワイヤー３８の他端は、雪掻きボード２１の背面側から連結されている。
【００２７】
また、ワイヤー３８は固定プーリ３に巻回されており、ワイヤー３８の一端側はワイヤーガイドプーリ１１及びプーリ３４に支承されている。またワイヤー３８の他端側はワイヤーガイドプーリ１２及びプーリ３３、３６に支承されている。  
なお、スプリング付きワイヤーガイドプーリ９、１０には、スプリングが取り付けられており、各スプリング付きワイヤーガイドプーリ９、１０は、雪掻きボード２１が屋根の傾斜面に沿って平行になったときや屋根の傾斜面と垂直になるようにされたときに、スプリングが伸び縮し、これによりワイヤー３７の張りを調整する。
【００２８】
なお、上述した雪掻きボード駆動手段は、図５で示すように雪掻きボード２１の幅方向両側に配設されている。
【００２９】
なお、本体には、移動用ギヤモータ５とワイヤー巻き取り用ギヤモータ７に電力を供給するための図示せぬ電力供給用ケーブルが配設されている。また、本体には、本体の移動に応じて該電力供給用ケーブルの長さを調節するケーブル巻き取りドラム(ゼンマイバネ付き)１６（図１）が配設されている。
【００３０】
なお、上述した図７及び図８は、いずれも両方向傾斜の屋根に配設された実施例１の雪下ろし機を示す概念側面図である。
【００３１】
以下、実施例１の雪下ろし機で実際に雪を掻き下ろす手順と、雪下ろし機の動作及び雪下ろし機の詳細な構造について説明する。
【００３２】
図４のような両方向傾斜の屋根の雪下ろしを行う場合において、まず図５のように雪掻きボード２１が移動用レール１９の谷側の端部に配置され、かつ屋根の傾斜面に対し平行な姿勢でその上に２０ｃｍぐらいの雪が積もっていると仮定する。
【００３３】
この初期状態において、雪掻きボード駆動手段の電磁コイル１を動作させて連結プーリ２を固定プーリ３に接触させる。  
次に、ワイヤー巻き取り用ギヤモータ７を正回転させる。すると、連結プーリ２及び固定プーリ３が正回転し、これによりワイヤー３７及びワイヤー３８が巻き上げられ、これにより図７で示すように雪掻きボード２１の全体が屋根の傾斜面に沿って尾根側に移動する。また、この移動の際、雪掻きボード２１は、図７のように屋根の傾斜面に対し平行な姿勢に維持される。
【００３４】
また、雪掻きボード２１は屋根の斜面と該斜面上に積もった雪との間に配設されているので、雪掻きボード２１が上記移動をする際、雪掻きボード２１が屋根の斜面と該斜面上に積もった雪との間に隙間を形成して移動する。したがって、屋根の斜面のうち雪掻きボード２１より谷側に位置する斜面上に積もった雪と屋根の斜面との間には、該隙間が形成される。
【００３５】
また、移動する雪掻きボード２１が屋根の傾斜面略中央に達した後、電磁コイル１の電源を切り、連結プーリ２を、スプリングの力で固定プーリ３から切り離す。次に、ワイヤー巻き取り用ギヤモータ７を逆回転させる。  
すると、固定プーリ３が逆回転し連結プーリ２は回転しないので、ワイヤー３８が巻き戻されて雪掻きボード２１の根元が屋根の傾斜面に沿って尾根と反対側、すなわち谷側に移動するとともに、雪掻きボード２１の先端は屋根の傾斜面に沿って移動せずに、スプリング付きワイヤーガイドプーリ９、１０のスプリングによりワイヤー３７の張りが調節され、該先端は根元を中心に回転し、これにより雪掻きボード２１が図８のように屋根の傾斜に沿った方向に対し垂直な姿勢（以下、「垂直姿勢」という。）になる。
【００３６】
また、その状態で電磁コイル１を再び動作させて連結プーリ２を固定プーリ３に接触させた後、ワイヤー巻き取り用ギヤモータ７を逆回転させる。  
すると、連結プーリ２及び固定プーリ３が逆回転し、ワイヤー３７及びワイヤー３８が巻き戻され、これにより雪掻きボード２１の全体が屋根の傾斜面に沿って谷側に移動する。この移動の際、雪掻きボード２１は、図８の垂直姿勢を維持される。
【００３７】
この雪掻きボード２１の移動により、屋根の斜面のうち垂直姿勢の雪掻きボード２１より谷側に位置する斜面上に積もった雪が、該雪掻きボード２１によって谷側へ向け押圧され、該雪が屋根の斜面から掻き下ろされる。なお、雪掻きボード２１は移動用レール１９の谷側端部まで移動でき、該谷側端部まで移動すると、垂直姿勢にされた位置から谷側端部までの傾斜面上の雪をすべて下ろすことができる。
【００３８】
なお、上述したように屋根の斜面のうち雪掻きボード２１より谷側に位置する斜面とその上に積もった雪との間には上記隙間が形成されているから、垂直姿勢の雪掻きボード２１より谷側に位置する斜面上に積もった雪は、上述のような雪掻きボード２１の移動によって掻き下ろされることとなる。
【００３９】
このように屋根の傾斜面略中央から谷側に積もっていた雪を掻き下し終わったら、次に、電磁コイル１の電源を切り、これにより連結プーリ２をスプリングの力で固定プーリ３から切り離す。
【００４０】
次に、ワイヤー巻き取り用ギヤモータ７を正回転させると、固定プーリ３が正回転し、連結プーリ２は回転しない。そのためワイヤー３８が巻き上げられて雪掻きボード２１の根元が傾斜面に沿って尾根側に移動するとともに、雪掻きボード２１の先端は屋根の傾斜面に沿って移動せず、ワイヤー３７の張りが調節され、該先端はスプリング付きワイヤーガイドプーリ９、１０のスプリングにより根元を中心に回転し、これにより、図５のように屋根の傾斜面に対し平行な姿勢に戻される。
【００４１】
図５の状態に戻ったら、電磁コイル１を動作させて連結プーリ２を固定プーリ３に接触させ、次にワイヤー巻き取り用ギヤモータ７を正回転させる。  
すると、連結プーリ２及び固定プーリ３が正回転し、これによりワイヤー３７及びワイヤー３８が巻き上げられ、これにより雪掻きボード２１の全体が屋根の傾斜面に沿って尾根側へ移動する。また、この移動の際、雪掻きボード２１は、図７のように屋根の傾斜面に対し平行な姿勢に持される。
【００４２】
また、雪掻きボード２１は屋根の斜面と該斜面上に積もった雪との間に配設されているので、雪掻きボード２１が上記移動をする際、該雪掻きボード２１が屋根の斜面と該斜面上に積もった雪との間に隙間を形成して移動する。したがって、屋根の斜面のうち雪掻きボード２１により谷側に位置する斜面上に積もった雪と屋根の斜面との間には、隙間が形成される。
【００４３】
また、移動する雪掻きボード２１が屋根の傾斜面上部に達した後、電磁コイル１の電源を切り、これにより連結プーリ２をスプリングの力で固定プーリ３から切り離す。そして、ワイヤー巻き取り用ギヤモータ７を逆回転させる。
【００４４】
すると、固定プーリ３が逆回転し連結プーリ２は回転しないので、ワイヤー３８が巻き戻されて雪掻きボード２１の根元が屋根の傾斜面に沿って谷側に移動するとともに、雪掻きボード２１の先端は屋根の傾斜面に沿って移動せずにスプリング付きワイヤーガイドプーリ９、１０のスプリングによりワイヤー３７の張りが調節されて雪掻きボード２１の先端は根元を中心に回転し、これにより雪掻きボード２１が垂直姿勢になる。
【００４５】
また、その状態で電磁コイル１を再び動作させて連結プーリ２を固定プーリ３に接触させた後、ワイヤー巻き取り用ギヤモータ７を逆回転させる。  
すると、連結プーリ２及び固定プーリ３が逆回転し、ワイヤー３７及びワイヤー３８が巻き戻され、これにより雪掻きボード２１の全体が屋根の傾斜面に沿って谷側へ移動する。この移動の際、雪掻きボード２１は、垂直姿勢を維持される。
【００４６】
この雪掻きボード２１の移動により、屋根の斜面のうち雪掻きボード２１より谷側に位置する斜面に積もった雪が、該雪掻きボード２１によって谷側へ向け押圧されて、屋根の斜面から掻き下ろされる。  
なお、雪掻きボード２１は移動用レール１９の谷側端部まで移動でき、該谷側端部まで移動すると、垂直姿勢にされた位置から谷側端部までの傾斜面上の雪をすべて下ろすことができる。
【００４７】
なお、上述したように屋根の斜面のうち雪掻きボード２１より谷側に位置する斜面とその上に積もった雪との間には上記隙間が形成されているから、垂直姿勢の雪掻きボード２１より谷側に位置する斜面上に積もった雪は、上述のような雪掻きボード２１の移動によって掻き下ろされることとなる。
【００４８】
このように雪下ろし動作を繰り返す事によって雪掻きボード２１の幅（尾根に対し平行な雪掻きボード２１の幅）の傾斜面上に積もった部分だけ、雪をすべて掻き下ろすことができる。
【００４９】
また、このように傾斜面上の雪を雪掻きボード２１の幅で掻き下ろし終わったら、次に、電磁コイル１の電源を切り、これにより連結プーリ２をスプリングの力で固定プーリ３から切り離す。
【００５０】
次に、ワイヤー巻き取り用ギヤモータ７を正回転させると、固定プーリ３が正回転し連結プーリ２は回転しないので、これにより、雪掻きボード２１は、図５のように屋根の傾斜面に対し平行な姿勢に戻される。
【００５１】
次に、移動用ギヤモータ５を動作させると、本体は、上述したように、ローラ８を介し、図６の矢印で示すようにレール１７と平行な方向に移動し、これにより雪掻きボード２１が別の雪掻きされていない斜面部分に達する。次に該斜面部分において、上述した雪掻き動作をその雪掻きボード２１の幅で繰り返す。  
またさらに雪掻きボード２１の幅で雪を掻き下ろし終わった場合は、雪掻きボード２１を初期状態に復帰させた後、本体を尾根と平行な方向に移動させ、さらに別の雪掻きがされていない斜面部分において雪掻きボード２１の幅で雪掻き動作を行い、最終的には、尾根の一端から他端までの雪、すなわち屋根の斜面上に積もった雪全てを掻き下ろす。
【００５２】
また、この雪掻き動作及びその繰り返しは、雪下ろし機の外部から上記電力供給用ケーブルを介して、移動用ギヤモータ５及びワイヤー巻き取り用ギヤモータ７に電力が供給されることにより、自動的に行われるようにする。
【００５３】
以上で説明したように、この発明の実施例１の雪下ろし機では、屋根の傾斜面上に積もった雪を下ろす屋根の雪下ろし機において、前記屋根に配設され、雪掻きボード２１を前記傾斜面に沿って移動させて前記屋根の傾斜面上に積もった雪を下ろす雪下ろし手段を具えているから、雪下ろし動作が電動で行われることとなって、人が直接屋根に上ることなく雪下ろしを行うことができ、そのため、豪雪地帯での屋根の雪下ろしにあたって、労働的負担を無くすことができるとともに、高齢者などが屋根から転落する事故も防ぐことができる。
【００５４】
なお、この雪下ろし機では、雪掻きボード２１やレール１７は強度を損なわない程度に穴を開け風の抵抗を無くするようにされている。したがって、台風時などの強風によって、雪下ろし機の雪掻きボード２１やレール１７が破損されることは可及的に防止されている。
【００５５】
なお、上記した実施例では、ワイヤー巻き取り用ギヤモータ７を一つ配設し、両方向傾斜の屋根を構成する二つの斜面のうちの一方の斜面に配設された雪掻きボード２１を、一つのワイヤー巻き取り用ギヤモータ７によって、ワイヤー３７、ワイヤー３８を介し、移動用レール１９に沿って移動させ、また雪掻きボード２１の姿勢を変更させるようにしている。このように、この発明の雪下ろし機は、傾斜面を少なくとも一つ配設した屋根であれば適用可能である。
【００５６】
但し、この発明の雪下ろし機によれば、一つのワイヤー巻き取り用ギヤモータ７によって、両方向傾斜の屋根を構成する二つの傾斜面（その傾斜面の長さが同じである場合に限る。）にそれぞれ配設された双方の雪掻きボード２１を、各ワイヤー３７、３８を介し、同期させて移動用レール１９に沿って移動させ、また上記姿勢変更を行わせることもできる。  
また、そのように二つの雪掻きボードを一つの共通のワイヤー巻き取り用ギヤモータ７で動作させるようにすると、部品点数を少なくでき製造コストを低くできる。
【００５７】
また、図４のような両方向傾斜の屋根であって、一方の屋根の長さと他方の屋根の長さが異なる屋根に雪下ろし機を設置する場合には、両側の斜面にある雪掻きボード２１を、仮に共通のワイヤー巻き取り用ギヤモータ７によって同期させて動作させるようにすると、ワイヤー巻き取り用ギヤモータ７の回転ストロークが両傾斜面において同一になることから、長い方の屋根において雪下ろしができない部分が生じる。  
したがって、両方向傾斜の屋根であって、一方の屋根の長さと他方の屋根の長さが異なる屋根に雪下ろし機を設置する場合には、雪下ろし機の本体に、図１８のようにワイヤー巻き取り用ギヤモータ７を二個取り付け、各ワイヤー巻き取り用ギヤモータ７によって、各傾斜面上の雪掻きボード２１を別個独立にワイヤー３７、ワイヤー３８を介して移動用レール１９に沿って移動させ、また上記姿勢変更を行わせるようにするとよい。
【００５８】
なお、この実施例１の雪下ろし機では、雪掻きボード２１の幅において屋根の傾斜面上の雪下ろしを行う場合に、段階的に雪下ろし動作を行うこととしたが、この発明の雪下ろし機は、このような雪下ろし動作に限定されず、雪掻きボード２１の幅において屋根の傾斜面の尾根端から谷端までの雪下ろしを一度に行わせるようにしてもよい。
【実施例２】
【００５９】
実施例２の屋根の雪下ろし機は、図１４のような四方向または異形の屋根の傾斜面上に積もった雪を下ろす屋根の雪下ろし機として用いられる。  
なお、図１４は四方向傾斜の屋根と、該屋根に配設された実施例２の雪下ろし機の第二レールを示す概念斜視図である。
【００６０】
また、この雪下ろし機は、前記屋根に配設され、雪掻きボード４４（図９）を具えた雪下ろし手段であって、雪掻きボード４４を前記傾斜面に沿って移動させて前記雪を下ろす雪下ろし手段を具えている。
【００６１】
また、この雪下ろし手段は、図９、図１１及び図１５で示すように、屋根の尾根に沿って配設された第一のレール１７と、該第一のレール１７に沿って移動する親機と、屋根の傾斜面にその傾斜に沿って配設された複数本の第二のレール１７（図１４）と、前記親機の上に配置され、該親機の上から前記第二のレール１７へ乗り移る、雪掻きボード４４を有する子機とを具え、雪掻きボード４４を有する子機が前記各第二のレール１７に沿って移動することにより、前記屋根の傾斜面上に積もった雪が掻き下ろされるようにしている。  
なお、図９は四方向または異形の屋根に配設される実施例２の雪下ろし機の本体の概念正面図である。また図１１は、図９の雪下ろし機の本体の概念側面図である。また、図１５は四傾斜の屋根に実施例２の雪下ろし機を示す概念側面図である。
【００６２】
またこのうち、第一のレール１７には、その底面に、移動用歯車噛み込み穴１８が形成されている。この移動用歯車噛み込み穴１８（図１３）は、レール１７及び尾根に沿って形成されている。
【００６３】
また、親機には、第一のレール１７に沿って移動する親機移動手段が配設されている。この親機移動手段は、図９および図１１で示すように、親機移動用モータ５８と、該モータに連結される親機移動用連結歯車５７と、該親機移動用連結歯車５７に連結される親機移動用歯車５６（図１０）と、親機に回動自在に支承された親機移動用ローラ５１とからなる。  
このうちの親機移動用歯車５６（図１０）は、第一のレール１７の移動用歯車噛み込み穴１８（図１３）に係合する。
【００６４】
また、親機の鉛直上には、第三のレール１７（図１１）が配設されており、子機は、初期状態において該第三のレール１７上に配置されている。またこの第三のレール１７には、その底面に、移動用歯車噛み込み穴１８（図１２）が形成されている。この移動用歯車噛み込み穴１８は、該第三のレール１７に沿って形成されている。
【００６５】
また子機には、該子機を親機の鉛直上の第三レール１７及び傾斜面に配設された各第二のレール１７に沿って移動させる子機移動手段が配設されている。  
この子機移動手段は、図９及び図１１で示すように子機移動用ギヤモータ４６と、該子機移動用ギヤモータ４６に連結される子機移動用連結歯車４８と、該子機移動用連結歯車４８に連結する子機移動用歯車４９（図１０）と、子機に回動自在に支承された子機移動用ローラ４５とからなる。
【００６６】
なお子機には、子機移動用ギヤモータ４６に電力を供給するための電力供給用ケーブル（子機電源ケーブル）６３が配設されている。また、子機には、子機の移動に応じて該電力供給用ケーブルの長さを調節する子機用ケーブル巻き取りドラム（ゼンマイバネ付き）４７（図１１）が配設されている。  
また親機には、子機を、親機の鉛直上方の第三のレール１７から屋根の斜面に配設された各第二のレール１７に乗り移らせるための子機案内手段が配設されている。
【００６７】
この子機案内手段は、親機鉛直上方の第三のレール１７を水平方向に回転させることによって該第三のレール１７上の子機全体を水平方向に回転させる水平回転手段と、親機鉛直上方の第三のレール１７を鉛直方向に回転させることによって、該第三のレール上の子機全体を鉛直方向に回転させる鉛直回転手段（首振り手段）からなる。
【００６８】
このうち、水平可能手段は、図９及び図１１で示すように、水平回転用ギヤモータ５５と、それに連結される水平回転用連結歯車５４と、該水平回転用連結歯車に連結される水平回転用歯車５２からなる。
【００６９】
また、鉛直回転手段は、首振り用ギヤモータ５０と、該首振り用ギヤモータ５０に連結される首振り用歯車５３からなる。
【００７０】
なお、首振り用歯車５３の軸にはアームを介して親機の鉛直上方の第三のレール１７が固定されている。
【００７１】
なお親機には、親機移動用モータ５８、水平回転用ギヤモータ５５及び首振り用ギヤモータ５０や電力を供給するための図示せぬ電力供給用ケーブルが配設されている。また、親機には、該親機の第一のレール１７に沿った移動に応じて該電力供給用ケーブルの長さを調節する親機用ケーブル巻き取りドラム（ゼンマイバネ付き）が配設されている。
【００７２】
また、雪掻きボード４４は、図１１で示すように子機の前面に配設されている。  
また雪掻きボード４４の幅（図９）は、雪下ろしが屋根の斜面に配設される第二のレール１７毎に行われることから、屋根の傾斜面上全ての雪の雪下ろしがなされるように、第二のレール１７同士の配設間隔を考慮して設定されている。  
なお、図１０は実施例２の雪下ろし機を構成する子機移動用歯車、親機移動用歯車の様子を示す図である。
【００７３】
以下、上記した構造の実施例２の雪下ろし機で実際に雪を掻き下ろす手順と、雪下ろし機の動作及び雪下ろし機の詳細な構造について説明する。  
なお、図１２は四方向または異形の屋根に配設される実施例２の雪下ろし機を構成する子機の概念平面図である。また、図１３は四方向または異形の屋根に配設される実施例２雪下ろし機を構成する親機の概念平面図である。また、図１４は四方向傾斜の屋根と、該屋根に配設された実施例２の雪下ろし機の第二のレールを示す概念斜視図である。また、図１６は四方向傾斜の屋根に実施例２の雪下ろし機を示す概念側面図である。また、図１７は四方向傾斜の屋根に実施例２の雪下ろし機を示す概念正面図である。
【００７４】
図１４のような四方向または異形の屋根の雪下ろしを行う場合において、初期状態においては、図１１及び図１５で示すように、親機の鉛直上方の第三のレール１７が水平にされており、該第三のレール１７上には子機が配設されている。  
まず、水平回転用ギヤモータ５５を動作させ、これにより水平回転用連結歯車５４を介し水平回転用歯車５２を回転させ、これにより親機の鉛直上方の第三のレール１７及びその上の子機全体を水平方向に回転させる。
【００７５】
そして雪下ろし機を鉛直上方からみた場合に親機の鉛直上方の第三のレール１７が、屋根の斜面に配設された第二のレール１７と一直線上に達するようにする。
【００７６】
次に、首振り用ギヤモータ５０を動作させる。すると、図１６で示すように、首振り用歯車５３が回転し、これにより、親機の鉛直上方の第三のレール１７が鉛直方向に沿って回転する。
【００７７】
また、この回転により、図１６で示すように、親機の鉛直上方の第三のレール１７が、屋根の斜面に配設された第二のレール１７に向け倒され、該第三のレール１７と前記第二のレール１７が水平方向からみて一直線上に達した場合には、第三のレール１７が第二のレール１７に接続するので、首振り用ギヤモータ５０の駆動を停止し、次に子機移動用ギヤモータ４６を動作させる。
【００７８】
すると、子機移動用連結歯車４８を介して子機移動用歯車４９が回転し、これにより子機移動用ローラ４５の搬送力によって子機は親機の鉛直上方の第三のレール１７から屋根の傾斜面上にある一つの第二のレール１７へ乗り移る。  
なお、各第二のレール１７及び第三のレール１７には、いずれも子機移動用歯車４９（図１０）が係合する移動用歯車噛み込み穴１８（図１２参照）がそれぞれのレールの長手方向に沿って形成されているので、子機移動用ギヤモータ４６が駆動されて子機移動用連結歯車４８を介し子機移動用歯車４９が回転すると、子機が第三のレール１７上に配設されているときは、子機移動用歯車４９と第三のレール１７の移動用歯車噛み込み穴１８との係合によって、子機は子機移動用ローラ４５を介し第三のレール１７に沿って移動し、また、子機が各第二のレール１７上に配設されているときは、子機移動用歯車４９と各第二のレール１７の移動用歯車噛み込み穴１８との係合によって、子機は子機移動用ローラ４５を介し第二のレール１７に沿って移動する。
【００７９】
なお、この雪下ろし機では、図１３で示すように、水平回転用歯車５２の鉛直上方に、水平回転用リミットスイッチ６０が配設されている。また、水平回転用ギヤモータ５２の鉛直下方であってかつ水平回転用ギヤモータ５２の周囲には、水平回転用リミットスイッチ動作セット穴６１が配設されている。この水平回転用リミットスイッチ動作セット穴６１は、屋根の傾斜面にその傾斜に沿って配設された複数本の第二のレール１７の各配置位置に応じて予め配置されている。したがって、水平回転用ギヤモータ５５の上記水平回転により、水平回転ミットスイッチ６０のピンが水平回転用リミットスイッチ動作セット穴６１に差し込まれて係合した場合には、親機の鉛直上方の第三のレール１７と屋根の傾斜面に配設された第二のレール１７が鉛直上方からみて一直線になったと判断して、水平回転用ギヤモータ５５の動作を停止するようにしている。このように、この雪下ろし機では、リミットスイッチ６０によって水平回転用ギヤモータ５５の回転位置を調整するようにしているので、親機の鉛直上方の第三のレール１７と屋根の傾斜面に配設された第二のレール１７が鉛直方向からみて可及的に一直線にすることができ、これにより子機の上記乗り移りが円滑に行われる。
【００８０】
また、図１６で示すように、屋根の斜面の第二のレール１７へ乗り移った子機は、屋根の傾斜面の谷側端部でもある第二のレールの谷側端部に達するまで、第二のレール１７に沿って谷側（尾根と反対側）へ移動する。  
また、この子機には雪掻きボード４４が配設されているので、雪掻きボード４４より谷側に位置する傾斜面に積もった雪は、子機の上記移動によって谷側へ押圧され、傾斜面から掻き下ろされる。
【００８１】
子機は屋根の傾斜面に配設された第二のレール１７の谷側端部まで移動すると、尾根から谷側端部までの傾斜面上の雪をすべて下ろすことができる。
【００８２】
このようにして、上記した第二のレール１７を用いて雪掻きボード４４の幅で雪掻きが終了した場合には、上述した動作と逆の手順で、まず上記初期状態に復帰させる。なお、その際、親機移動用ギヤモータ５８、水平回転用ギヤモータ５５、首振り用ギヤモータ５０、及び子機の子機移動用ギヤモータ４６の各駆動方向は前記雪掻き動作と逆方向とする。
【００８３】
そして次に、他の別の第二のレール１７を用いて雪掻きを行う。該他の別の第二のレール１７を用いた雪掻きを行う場合にも、上述した手順と同様の手順で掻き下ろし動作を行うようにすればよく、これにより別の新たな雪掻きボード幅で雪下ろしが行われることとなる。
【００８４】
このように上述した雪掻き動作をその雪掻きボード４４の幅で繰り返し行い、最終的には、斜面に配設された複数本の第二のレール全てにおいて雪掻きボード４４による雪掻き動作を行って、屋根の斜面上に積もった雪全てを掻き下ろす。
【００８５】
また、その際、先に雪掻きに用いた第二のレール１７が配設された斜面と同じ斜面に配設されている第二のレール１７を用いて雪掻きを行う場合その他の必要がある場合には、親機を尾根上の第一のレール１７に沿って移動させることが可能である。具体的には、親機移動用モータ５８を駆動して親機移動用連結歯車５７を介して親機移動用歯車５６を回転させ、これにより親機を親機移動用ローラ５１を介し移動させる。また、この親機の移動は、親機移動用歯車５６と第一のレール１７の移動用歯車噛み込み穴１８との係合によって、尾根上の第一のレール１７に沿ったものとなる。
【００８６】
また、上述した雪掻き動作及びその繰り返しは、雪下ろし機の外部から上記子機電力供給用ケーブルを介して親機の親機移動用ギヤモータ５８、水平回転用ギヤモータ５５、首振り用ギヤモータ５０、及び子機の子機移動用ギヤモータ４６に電力が供給されることにより、自動的に行われるようにする。
【００８７】
以上で説明したように、この発明の実施例２の雪下ろし機は、屋根の傾斜面上に積もった雪を下ろす屋根の雪下ろし機において、前記屋根に配設され、雪掻きボード４４を前記傾斜面に沿って移動させて前記屋根の傾斜面上に積もった雪を下ろす雪下ろし手段を具えているから、雪下ろし動作が電動で行われることとなって、人が直接屋根に上ることなく雪下ろしを行うことができ、そのため、労働的負担を無くすことができるとともに、高齢者などが屋根から転落する事故も防ぐことができる。
【図面の簡単な説明】
【００８８】
【図１】図１は屋根に配設された実施例１の雪下ろし機の本体の概念正面図である。
【図２】図２は図１のＡ´−Ａ´´概念断面図である。
【図３】図３（ａ）は屋根の尾根に配設されるレールを示す概念斜視図である。図３（ｂ）は本体の移動用歯車を示す概念斜視図である。
【図４】図４は、両方向傾斜の屋根と、該屋根に配設した実施例１の雪下ろし機のレール（尾根レール）、雪掻きボード移動用レール及び固定レールを示す概念斜視図である。
【図５】図５は両方向傾斜の屋根に配設された実施例１の雪下ろし機を示す概念正面図である。
【図６】図６は両方向傾斜の屋根に配設された実施例１の雪下ろし機を示す概念正面図である。
【図７】図７は両方向傾斜の屋根に配設された実施例１の雪下ろし機を示す概念側面図である。
【図８】図８は両方向傾斜の屋根に配設された実施例１の雪下ろし機を示す概念側面図である。
【図９】図９は四方向または異形の屋根に配設される実施例２の雪下ろし機の本体の概念正面図である。
【図１０】図１０は実施例２の雪下ろし機を構成する子機移動用歯車、親機移動用歯車の様子を示す図である。
【図１１】図１１は図９の雪下ろし機の本体の概念側面図である。
【図１２】図１２は四方向または異形の屋根に配設される実施例２の雪下ろし機を構成する子機の概念平面図である。
【図１３】図１３は四方向または異形の屋根に配設される実施例２雪下ろし機を構成する親機の概念平面図である。
【図１４】図１４は四方向傾斜の屋根と、該屋根に配設された実施例２の雪下ろし機の第二レールを示す概念斜視図である。
【図１５】図１５は四傾斜の屋根に実施例２の雪下ろし機を示す概念側面図である。
【図１６】図１６は四方向傾斜の屋根に実施例２の雪下ろし機を示す概念側面図である。
【図１７】図１７は四方向傾斜の屋根に実施例２の雪下ろし機を示す概念正面図である。
【図１８】図１８は両方向傾斜の長さの異なる屋根に配設される実施例１の雪下ろし機の本体の概念側面図である。
【図１９】図１９は屋根の瓦に貼り付けるレール取りつけ金具の概念斜視図である。
【符号の説明】
【００８９】
１…電磁コイル
２…連結プーリ
３…固定プーリ
４…軸受け
５…移動用ギヤモータ
６…シャフト回転用歯車
７…ワイヤー巻き取り用ギヤモータ
８…ローラ
９…スプリング付きワイヤーガイドプーリ
１０…スプリング付きワイヤーガイドプーリ
１１…ワイヤーガイドプーリ
１２…ワイヤーガイドプーリ
１３…移動用歯車
１４…移動用連結歯車
１５…ワイヤー巻き取り用連結歯車
１６…ケーブル巻き取りドラム(ゼンマイバネ付き)
１７…レール（尾根レール）
１８…移動用歯車噛み込み穴
１９…雪掻きボード移動用レール
２０…固定レール
２１…雪掻きボード
２２…移動用レールの移動用ワイヤー
２３…本体移動用ワイヤー
２４…本体移動用ワイヤーと移動レールの移動用ワイヤーの連結金具
２５…ワイヤーガイドプーリ
２６…ワイヤーガイドプーリ
２７…ワイヤーガイドプーリ
２８…ワイヤーガイドプーリ
２９…ワイヤーガイドプーリ
３０…ワイヤーガイドプーリ
３１…ワイヤーガイドプーリ
３２…ワイヤーガイドプーリ
３３…ワイヤーガイドプーリ
３４…ワイヤーガイドプーリ
３５…ワイヤーガイドプーリ
３６…ワイヤーガイドプーリ
３７…雪掻きボ−ドワイヤー（先端取り付け）
３８…雪掻きボ−ドワイヤー (根本取り付け)
３９…雪掻きボ−ドの移動用ローラ
４０…ローラ
４１…ローラ
４２…固定レール取り付け金具
４３…固定レール取り付け金具
４４…雪掻きボード
４５…子機移動用ローラ
４６…子機移動用ギヤモータ
４７…子機用ケーフル巻き取りドラム(ゼンマイバネ付き)
４８…子機移動用連結歯車
４９…子機移動用歯車
５０…首振り用ギヤモータ
５１…親機移動用ローラ
５２…子機レール回転用歯車
５３…子機首振り用歯車
５４…水平回転用連結歯車
５５…水平回転用ギヤモータ
５６…親機移動用歯車
５７…親機移動用連結歯車
５８…親機移動用ギヤモータ
５９…親機用ケーフル巻き取りドラム(ゼンマイバネ付き)
６０…水平回転用リミットスイッチ
６１…水平回転用リミットスイッチ動作セット穴
６２…ターミナルボックス
６３…子機電源ケーブル
【図１】
2006299614.tif 000003
【図２】
2006299614.tif 000004
【図３】
2006299614.tif 000005
【図４】
2006299614.tif 000006
【図５】
2006299614.tif 000007
【図６】
2006299614.tif 000008
【図７】
2006299614.tif 000009
【図８】
2006299614.tif 000010
【図９】
2006299614.tif 000011
【図１０】
2006299614.tif 000012
【図１１】
2006299614.tif 000013
【図１２】
2006299614.tif 000014
【図１３】
2006299614.tif 000015
【図１４】
2006299614.tif 000016
【図１５】
2006299614.tif 000017
【図１６】
2006299614.tif 000018
【図１７】
2006299614.tif 000019
【図１８】
2006299614.tif 000020
【図１９】
2006299614.tif 000021